(57)【要約】【課題】奥歯が良く磨ける感じと歯間が良く磨ける感じの両方の感触を向上させつつ、外観形態（統一された特徴）が異なる複数の毛束群による各歯の種類や部位に応じた刷掃を効果的に行うことのできる歯ブラシを提供する。【解決手段】植毛台１１の植毛面は、先端部領域１６と、これの後方部分の中央帯状領域１７と、一対の外側帯状領域１８とを有しており、先端部領域１６には先端毛束群１９Ａを、中央帯状領域１７には中央毛束群１９Ｂを、各外側帯状領域１８には外側毛束群１９Ｃを各々植設した歯ブラシ１０であって、先端毛束群１９Ａと中央毛束群１９Ｂと各外側毛束群１９Ｃはその統一された特徴が異なっており、先端ブリッスル１４ａ，１４ｂの最長の毛丈が中央ブリッスル１４ｃの最長の毛丈よりも長く、且つ外側ブリッスル１４ｄの平均毛丈が中央ブリッスル１４ｃの平均毛丈よりも短くなっている。【選択図】　　　図１
2004105377.tif 000002
【特許請求の範囲】
【請求項１】
複数本のブリッスルを束ねてなる毛束が植毛台に複数植設されている歯ブラシであって、
前記植毛台の植毛面は、先端部領域と、該先端部領域の後方部分を歯ブラシの軸方向に沿った３つの帯状領域に分けた際の中央帯状領域と、該中央帯状領域の両側の一対の外側帯状領域との４つの領域を有しており、
前記先端部領域に植設された先端毛束群、前記中央帯状領域に植設された中央毛束群、前記各外側帯状領域に植設された外側毛束群は、各々統一された特徴を備えていると共に、前記先端毛束群と前記中央毛束群と前記各外側毛束群とは、その統一された特徴が相違しており、
且つ前記先端毛束群を構成する先端ブリッスルの最長の毛丈が、前記中央毛束群を構成する中央ブリッスルの最長の毛丈よりも長くなっていると共に、前記外側毛束群を構成する外側ブリッスルの平均毛丈が、前記中央毛束群を構成する中央ブリッスルの平均毛丈よりも短くなっている歯ブラシ。
【請求項２】
前記先端毛束群を構成する先端ブリッスルの最長の毛丈が、前記中央毛束群を構成する中央ブリッスルの最長の毛丈の１．０２〜１．３０倍の長さであり、且つ前記外側毛束群を構成する外側ブリッスルの平均毛丈が、前記中央毛束群を構成する中央ブリッスルの平均毛丈の０．７０〜０．９７倍の長さである請求項１記載の歯ブラシ。
【発明の詳細な説明】
【０００１】
【発明の属する技術分野】
本発明は、複数本のブリッスルを束ねてなる毛束が植毛台に複数植設されている歯ブラシに関する。
【０００２】
【従来の技術及び発明が解決しようとする課題】
歯ブラシは、複数本のブリッスルを束ねてなる毛束を、例えば植毛台の植毛面に設けられた複数の植毛孔に平線を打ち込んだり熱で融着させる方法等によって植設固定することにより形成されるものである。また、歯ブラシは、前歯、奥歯等の歯の種類や、歯間部、歯面部、歯頸部等の歯の部位に応じた適切な刷掃を効率良く行って歯垢等を効果的に除去できるように、また刷掃時に良好な感触が得られるように、毛束の配置やブリッスルの毛先の形状等に様々な工夫がなされている。
【０００３】
一方、奥歯や前歯等の複数の歯の種類や、歯間部、歯面部、歯頸部等の複数の歯の部位に対して、一本の歯ブラシで適切な刷掃を行ってゆくことができるように、各歯の種類や部位の刷掃に適した外観形態（統一された特徴）が異なる複数の毛束群を植毛台に植設した歯ブラシが種々開発されている。
【０００４】
しかしながら、外観形態が異なる複数の毛束群を一本の歯ブラシに植設する場合（例えば、特許文献１参照）、これらの複数の毛束群の配置やブリッスルの長さ等が適切でないと、奥歯が磨ける感じと歯間が磨ける感じの両立ができなくなる。
【０００５】
例えば、植毛台の植毛面に、先端部領域と、該先端部領域の後方部分を歯ブラシの軸方向に沿った３つの帯状領域に分けた際の中央帯状領域と、該中央帯状領域の両側の一対の外側帯状領域との４つの領域を有する歯ブラシの場合、先端部領域に植設された先端毛束群を構成する先端ブリッスルの最長の毛丈が、中央帯状領域に植設された中央毛束群を構成する中央ブリッスルの最長の毛丈よりも長くなっているだけで、外側帯状領域に植設された外側毛束群を構成する外側ブリッスルの平均毛丈が、中央毛束群を構成する中央ブリッスルの平均毛丈よりも短くなっていないと、奥歯に対しては先端毛束群の最長毛丈のブリッスルが届いて良く磨けることになるが、歯間に対しては中央ブリッスルが歯間の奥に届きにくくなって良く磨けないことになる。
【０００６】
一方、外側ブリッスルの平均毛丈が中央ブリッスルの平均毛丈よりも短くなっているだけで、先端ブリッスルの最長の毛丈が中央ブリッスルの最長の毛丈よりも長くなっていないと、歯間に対しては中央ブリッスルが歯間の奥に届いて良く磨けるが、奥歯に対しては先端毛束群の最長毛丈のブリッスルが奥歯の奥に届きにくくなったり、届いても力が伝わりにくい状態になって良く磨けないことになる。
【０００７】
本発明は、奥歯が良く磨ける感じと歯間が良く磨ける感じの両方の感触を向上させつつ、外観形態（統一された特徴）が異なる複数の毛束群による各歯の種類や部位に応じた刷掃を効果的に行うことのできる歯ブラシを提供することを目的とする。
【０００８】
【特許文献】１
特開平９−１４９８１５号公報
【０００９】
【課題を解決するための手段】
本発明は、複数本のブリッスルを束ねてなる毛束が植毛台の植毛面に複数植設されている歯ブラシであって、前記植毛台の植毛面は、先端部領域と、該先端部領域の後方部分を歯ブラシの軸方向に沿った３つの帯状領域に分けた際の中央帯状領域と、該中央帯状領域の両側の一対の外側帯状領域との４つの領域を有しており、前記先端部領域に植設された先端毛束群、前記中央帯状領域に植設された中央毛束群、前記各外側帯状領域に植設された外側毛束群は、各々統一された特徴を備えていると共に、前記先端毛束群と前記中央毛束群と前記各外側毛束群とは、その統一された特徴が相違しており、且つ前記先端毛束群を構成する先端ブリッスルの最長の毛丈が、前記中央毛束群を構成する中央ブリッスルの最長の毛丈よりも長くなっていると共に、前記外側毛束群を構成する外側ブリッスルの平均毛丈が、前記中央毛束群を構成する中央ブリッスルの平均毛丈よりも短くなっている歯ブラシを提供することにより、上記目的を達成したものである。
【００１０】
また、本発明の歯ブラシは、前記先端毛束群を構成する先端ブリッスルの最長の毛丈が、前記中央毛束群を構成する中央ブリッスルの最長の毛丈の１．０２〜１．３０倍の長さであり、且つ前記外側毛束群を構成する外側ブリッスルの平均毛丈が、前記中央毛束群を構成する中央ブリッスルの平均毛丈の０．７０〜０．９７倍の長さであることが好ましい。
【００１１】
ここで、本願において、「統一された特徴」とは、毛束の先端形状（毛束をカットした面やブリッスルを揃えた面の角度や曲率）、毛束の横断面形状、毛束の傾倒方向や傾倒角度、毛束の太さ、毛束の植毛高さ、長軸短軸がある横断面形状を有する毛束の軸方向、ブリッスルの先端形状、ブリッスルのかたさ理論値の平均等を特徴として統一されていることを意味するものであり、毛束群が全体で一つの形（例えば同心円状や山の形等）に形成されている場合も含まれる。
【００１２】
また、各特徴には優先順位があり、最も優先順位が高いのは、毛束群が全体で一つの形に形成されている場合で、次いで毛束の先端形状、毛束の傾倒方向や傾倒角度、毛束の植毛高さ、毛束の太さ、長軸短軸がある横断面形状を有する毛束の軸方向、ブリッスルのかたさ理論値の平均、ブリッスルの先端形状と続くことになる。したがって、一つの毛束に複数の「統一された特徴」が存在する場合は、当該毛束は、より優先順位の高い特徴を有する毛束群の方に含まれることになる。
【００１３】
なお、このような各毛束群の「統一された特徴」の相違は、主として奥歯や前歯等の複数の歯の種類や、歯間部、歯面部、歯頸部等の複数の歯の部位に対して各々適切な刷掃を行ってゆくための、各毛束群が備える特有の機能の相違によるものである。
【００１４】
また、本願において、先端ブリッスルの最長の毛丈は、先端毛束群を構成する全先端ブリッスルのうちの最長の先端ブリッスルの毛丈であって、これらの最長の先端ブリッスルは、全先端ブリッスルのうちの５％以上、特に１０％以上を占めていることが好ましい。中央ブリッスルの最長の毛丈もまた、中央毛束群を構成する全中央ブリッスルのうちの最長の中央ブリッスルの毛丈であって、これらの最長の中央ブリッスルは、全中央ブリッスルのうちの５％以上、特に１０％以上を占めていることが好ましい。
【００１５】
なお、最長の毛丈のブリッスルは、厳密に選択された１本の最長のブリッスルのみを意味するものではなく、最長のブリッスルの毛丈と実質的に同程度の毛丈とみなされる毛丈のブリッスルも最長のブリッスルに含めて考える趣旨である。
【００１６】
さらに、本願において、外側毛束群を構成する外側ブリッスルの平均毛丈は、当該外側毛束群を構成する全外側ブリッスルの毛丈の総和を全外側ブリッスルの本数で除した値であり、中央毛束群を構成する中央ブリッスルの平均毛丈は、当該中央毛束群を構成する全中央ブリッスルの毛丈の総和を全中央ブリッスルの本数で除した値である。
【００１７】
そして、本発明の歯ブラシによれば、植毛台の先端部領域に植設される先端毛束群を構成する先端ブリッスルの最長の毛丈が、植毛台の中央帯状領域に植設される中央毛束群を構成する中央ブリッスルの最長の毛丈よりも長くなっているので、最長の毛丈の先端ブリッスルによって奥歯の奥への到達性が高くなると共に、植毛台の外側領域に植設される外側毛束群を構成する外側ブリッスルの平均毛丈が、植毛台の中央帯状領域に植設される中央毛束群を構成する中央ブリッスルの平均毛丈よりも短くなっているので、中央ブリッスルの歯間の奥への到達性が高くなる。そして、これらの作用によって、奥歯が磨ける感じと歯間が磨ける感じの両方の感触を向上させつつ、外観形態（統一された特徴）が異なる複数の毛束群による各歯の種類や部位に応じた刷掃を効果的に行うことが可能になる。
【００１８】
また、本発明の歯ブラシによれば、先端ブリッスルの最長の毛丈を中央ブリッスルの最長の毛丈の１．０２〜１．３０倍の長さとすることが好ましい。先端ブリッスルの最長の毛丈が中央ブリッスルの最長の毛丈の１．０２倍よりも短いと（例えば中央ブリッスルの最長の毛丈が１１．５ｍｍで、先端ブリッスルの最長の毛丈が１１．６ｍｍの時は１．０１倍）、これらの最長の毛丈が等しい場合（１．００倍）の奥歯が磨ける感じと変化が無くなり、先端ブリッスルの最長の毛丈が中央ブリッスルの最長の毛丈の１．３０倍よりも長いと（例えば中央ブリッスルの最長の毛丈が９．０ｍｍで、先端ブリッスルの最長の毛丈が１２．０ｍｍの時は１．３３倍）、先端ブリッスルのみが歯に当たって、各毛束群による各歯の種類や部位に応じた刷掃の効果が低くなる。
【００１９】
さらに、本発明の歯ブラシによれば、外側ブリッスルの平均毛丈を中央ブリッスルの平均毛丈の０．７０〜０．９７倍の長さとすることが好ましい。外側ブリッスルの平均毛丈が中央ブリッスルの平均毛丈の０．７０倍よりも短いと（例えば外側ブリッスルの平均毛丈が８．０ｍｍで、中央ブリッスルの平均毛丈が１１．５ｍｍの時は０．６９倍）、外側ブリッスルが短くなりすぎて歯に当たりにくくなるため、各毛束群による各歯の種類や部位に応じた刷掃の効果が低くなり、外側ブリッスルの平均毛丈が中央ブリッスルの平均毛丈の０．９７倍よりも長いと（例えば外側ブリッスルの平均毛丈が１１．３ｍｍで、中央ブリッスルの平均毛丈が１１．５ｍｍの時は０．９８倍）、これらの平均毛丈が等しい場合（１．００倍）の歯間が磨ける感じと変化が無くなることになる。
【００２０】
【発明の実施の形態】
図１（ａ），（ｂ）に示す本発明の好ましい第１実施形態に係る歯ブラシ１０は、把持部（図示せず）と植毛台１１とこれらを連結する首部１２とからなる歯ブラシ本体の植毛台１１に形成された複数の植毛孔１３ａ，１３ｂ，１３ｃ，１３ｄに、複数本のブリッスル１４ａ，１４ｂ，１４ｃ，１４ｄを束ねてなる毛束（タフト）１５ａ，１５ｂ，１５ｃ，１４ｄを各々植毛（植設）することによって構成されている。
【００２１】
本第１実施形態の歯ブラシ１０によれば、歯ブラシ本体は、例えばポリプロピレン、ＡＢＳ樹脂等の合成樹脂からなる公知のもので、その植毛台１１の平坦な植毛面は、先端の略１／４の領域を占める先端部領域１６と、この先端部領域１６の後方部分を歯ブラシ１０の軸方向Ｘに沿った３つの帯状領域１７，１８に分けた際の中央帯状領域１７と、中央帯状領域１７の両側の一対の外側帯状領域１８との４つの領域を有している。
【００２２】
そして、先端部領域１６には、長軸が１．５ｍｍ、短軸が０．８ｍｍのトラック円形状の第１植毛孔１３ａが５箇所に、同じく長軸が１．５ｍｍ、短軸が０．８ｍｍのトラック円形状の第２植毛孔１３ｂが７箇所に各々が形成されている（合計１２箇所）。また中央帯状領域１７には、歯ブラシ１０の軸方向Ｘと平行な短軸が０．８ｍｍ、これと垂直な長軸が３．０ｍｍのトラック円形状の第３植毛孔１３ｃが５箇所に形成されている。さらに、各外側帯状領域１８には、歯ブラシ１０の軸方向Ｘと平行な長軸が２．２ｍｍ、これと垂直な短軸が０．８ｍｍのトラック円形状の第４植毛孔１３ｄが各々８箇所、合計１６箇所に形成されている。
【００２３】
また、先端部領域１６における１２箇所の植毛孔１３ａ，１３ｂのうちの５箇所の第１植毛孔１３ａには、図１（ａ）において黒塗りで略示される第１毛束１５ａが、７箇所の第２植毛１３ｂ穴には、白塗りで略示される第２毛束１５ｂが各々植毛されている。また中央帯状領域１７における５箇所の第３植毛孔１３ｃには、陰線を描いて略示される第３毛束１５ｃが、各外側帯状領域１８における８箇所の４植毛孔１３ｄには、歯ブラシ１０の軸方向Ｘに片寄せた丸を描いて略示される第４毛束１５ｄが各々植毛されている。
【００２４】
なお、本実施形態によれば、植毛台１１の植毛面における先端部領域１６、中央帯状領域１７、外側帯状領域１８は、例えば各領域に植設される先端毛束群１９Ａ、中央毛束群１９Ｂ、外側毛束群１９Ｃを構成する毛束１５ａ，１５ｂ，１５ｃ，１５ｄのうちの、他の毛束群と隣接する位置に配置される各一対の毛束１５ｂ，１５ｃ，１５ｄの外周間の植毛面における中点を結んで得られる線分Ｌによって区画されている。
【００２５】
また、各毛束１５ａ，１５ｂ，１５ｃ，１５ｄを構成するブリッスル１４ａ，１４ｂ，１４ｃ，１４ｄは、ナイロン等の合成樹脂からなる例えば６〜９ｍｉｌの太さを有するフィラメント材であって、これを例えば十数本〜数十本束ねることによって各毛束１５ａ，１５ｂ，１５ｃ，１５ｄが形成されることになる。
【００２６】
本第１実施形態によれば、先端部領域１６に植設される第１毛束１５ａは、太さが９ｍｉｌ（０．２２９ｍｍ）の先端第１ブリッスル１４ａを１５本束ねて構成されており、各先端第１ブリッスル１４ａは植毛面から１１．０〜１２．０ｍｍの毛丈（植毛台１１の先端側の第１毛束１５ａを構成する先端第１ブリッスル１４ａから順番に１１．５ｍｍ、１２．０ｍｍ、１１．５ｍｍ、１１．０ｍｍの毛丈）で植毛されている。
【００２７】
また、第２毛束１５ｂは、太さが８ｍｉｌ（０．２０３ｍｍ）の先端第２ブリッスル１４ｂを１９本束ねて構成されており、各先端第２ブリッスル１４ｂは植毛面から１０．５〜１１．５ｍｍの毛丈（植毛台１１の先端側の第２毛束１５ｂを構成する先端第２ブリッスル１４ｂから順番に１１．５ｍｍ、１１．０ｍｍ、１０．５ｍｍの毛丈）で植毛されている。
【００２８】
すなわち、本第１実施形態によれば、５箇所の第１毛束１５ａと７箇所の第２毛束１５ｂとからなる先端部領域１６における毛束群１９Ａの全体の上端ブラシ面は、植毛台１１の先端側から２列目の２つの第１毛束１５ａ（毛丈１２．０ｍｍ）が最も高くなった、歯ブラシ１０の側方から視て山型の形状を形成している（図１（ｂ）参照）。そして先端部領域１６に植設された５箇所の第１毛束１５ａと７箇所の第２毛束１５ｂは、何れも、植毛台１１の植毛面と垂直な方向に対して５度の角度で歯ブラシ１０の軸方向Ｘの先端側に傾倒して植設されている。
【００２９】
また、本第１実施形態によれば、中央帯状領域１７に植設される第３毛束１５ｃは、太さが９ｍｉｌ（０．２２９ｍｍ）の中央ブリッスル１４ｃを３８本束ねて構成されており、各中央ブリッスル１４ｃは植毛面から１１．５ｍｍの毛丈で植毛されている。また各外側帯状領域１８に植設される第４毛束１５ｄは、太さが７ｍｉｌ（０．１７８ｍｍ）の外側ブリッスル１４ｄを４８本束ねて構成されており、各外側ブリッスル１４ｄは植毛面から９．０〜１１．５ｍｍの毛丈で植毛されている。
【００３０】
そして中央帯状領域１７に植設された５箇所の第３毛束１５ｃは、何れも、植毛台１１の植毛面と垂直な方向に対して１０度の角度で歯ブラシ１０の軸方向Ｘの先端側に傾倒して植設されており、また各外側帯状領域１８に植設された各々８箇所の第４毛束１５ｄのうち先端に位置する各１箇所の第４毛束１５ｄは、植毛台１１の植毛面と垂直な方向に対して１０度の角度で歯ブラシ１０の軸方向Ｘの先端側に傾倒して植設されている。
【００３１】
さらに、本第１実施形態によれば、上記第４毛束１５ｄは、図１（ｂ）のＡ部にその上面図及び側面図を拡大して示すように、最も高い毛丈（１１．５ｍｍ）の外側ブリッスル１４ｄから、最も低い毛丈（９．０ｍｍ）の外側ブリッスル１４ｄに亘って、先端形状が凹状の湾曲形状となるように外側ブリッスル１４ｄの毛丈を順次低くした状態で植毛されている。
【００３２】
そして、本第１実施形態によれば、上述のように各毛束１５ａ，１５ｂ，１５ｃ，１５ｄが植毛台１１に植毛されていることにより、先端部領域１６に植設された５箇所の第１毛束１５ａと７箇所の第２毛束１５ｂは、その横断面形状、傾倒角度等が略同様となっていると共に、全体で一つの山形を形成していることから、統一された特徴を有する毛束１５ａ，１５ｂの集合としてひとまとまりの先端毛束群１９Ａを構成することになる。またこれらの毛束１５ａ，１５ｂを構成する先端第１ブリッスル１４ａ及び先端第２ブリッスル１４ｂは、その太さが９ｍｉｌ又は８ｍｉｌとなっていると共に、各毛束１５ａ，１５ｂは傾倒して植設されているため、先端毛束群１９Ａは、奥歯の刷掃に適する傾倒させたかたい形態を備えていることになる。
【００３３】
また、中央帯状領域１７に植設される５箇所の第３毛束１５ｃは、その横断面形状、毛束の傾倒方向、傾倒角度等が同様となっていることから、統一された特徴を有する毛束１５ｃの集合としてひとまとまりの中央毛束群１９Ｂを構成することになる。さらに、各外側帯状領域１８に植設される各々８箇所の第４毛束１５ｄは、その先端形状（ブリッスルを揃えた面の曲率）、横断面形状等が同様となっていることから、統一された特徴を有する毛束１５ｄの集合としてひとまとまりの外側毛束群１９Ｃを各々構成することになる。
【００３４】
そして、これらの先端毛束群１９Ａ、中央毛束群１９Ｂ、外側毛束群１９Ｃは、各毛束群１９Ａ，１９Ｂ，１９Ｃを構成する毛束１５ａ，１５ｂ，１５ｃ，１５ｄがその横断面形状、傾倒角度等において明らかに異なっていることから、明確に区別できる異なる外観形態を有することになる。
【００３５】
本第１実施形態によれば、上述のように各毛束１５ａ，１５ｂ，１５ｃ，１５ｄが植毛台１１に植毛されていることにより、先端毛束群１９Ａを構成する先端第１ブリッスル１４ａ及び先端第２ブリッスル１４ｂの最長の毛丈は１２．０ｍｍ（植毛台１１の先端側から２列目の２つの第１毛束１５ａを構成する先端第１ブリッスル１４ａの毛丈）となり、中央毛束群１９Ｂを構成する中央ブリッスル１４ｃの最長の毛丈は１１．５ｍｍとなると共に、先端毛束群１９Ａを構成する先端第１ブリッスル１４ａ及び先端第２ブリッスル１４ｂの最長の毛丈（１２．０ｍｍ）は、中央毛束群１９Ｂを構成する中央ブリッスル１４ｃの最長の毛丈（１１．５ｍｍ）の約１．０４倍の長さとなる。
【００３６】
さらに、本第１実施形態によれば、上述のように各毛束１５ａ，１５ｂ，１５ｃ，１５ｄが植毛台１１に植毛されていることにより、各外側毛束群１９Ｃを構成する外側ブリッスル１４ｄの平均毛丈が１０．０ｍｍ、中央毛束群１９Ｂを構成する中央ブリッスル１４ｃの平均毛丈が１１．５ｍｍとなり、外側ブリッスル１４ｄの平均毛丈が中央ブリッスル１４ｃの平均毛丈よりも短くなると共に、各外側毛束群１９Ｃを構成する外側ブリッスル１４ｄの平均毛丈が、中央毛束群１９Ｂを構成する中央ブリッスル１４ｃの平均毛丈の０．８７倍の長さとなる。
【００３７】
そして、本第１実施形態の歯ブラシ１０によれば、奥歯が良く磨ける感じと歯間が良く磨ける感じの両方の感触を向上させつつ、統一された特徴が異なる複数の毛束群による各歯の種類や部位に応じた刷掃を効果的に行うことが可能になる。すなわち、本第１実施形態の歯ブラシ１０によれば、植毛台１１の先端部領域１６に植設される先端毛束群１９Ａを構成する先端ブリッスル１４ａ，１４ｂの最長の毛丈（１２．０ｍｍ）が、植毛台１１の中央帯状領域１７に植設される中央毛束群１９Ｂを構成する中央ブリッスル１４ｃの最長の毛丈（１１．５ｍｍ）よりも長くなっているので、最長の毛丈の先端ブリッスル１４ａによって奥歯の奥への到達性が向上することになる。また植毛台１１の外側領域１８に植設される外側毛束群１９Ｃを構成する外側ブリッスル１４ｄの平均毛丈（１０．０ｍｍ）が、植毛台１１の中央帯状領域１７に植設される中央毛束群１９Ｂを構成する中央ブリッスル１４ｃの平均毛丈（１１．５ｍｍ）よりも短くなっているので、中央ブリッスルによる歯間の奥への到達性が向上することになる。
【００３８】
したがって、これらの作用によって、奥歯が磨ける感じと歯間が磨ける感じの両方の感触を向上させつつ、外観形態（統一された特徴）が異なる複数の毛束群１９Ａ，１９Ｂ，１９Ｃによる各歯の種類や部位に応じた刷掃を効果的に行うことが可能になる。
【００３９】
図２（ａ），（ｂ）は、本発明の第２実施形態に係る歯ブラシ２０を示すものである。本第２実施形態の歯ブラシ２０は、把持部（図示せず）と植毛台２１とこれらを連結する首部２２とからなる歯ブラシ本体の植毛台２１に形成された複数の植毛孔２３に、複数本のブリッスル２４ａ，２４ｂ，２４ｃを束ねてなる毛束（タフト）２５ａ，２５ｂ，２５ｃを各々植毛（植設）することによって構成されている。
【００４０】
また、本第２実施形態の歯ブラシ２０によれば、歯ブラシ本体は、上記第１実施形態の歯ブラシ１０と同様に、例えばポリプロピレン、ＡＢＳ樹脂等の合成樹脂からなる公知のもので、その植毛台２１の平坦な植毛面は、先端の略１／３の領域を占める先端部領域２６と、この先端部領域２６の後方部分を歯ブラシ２０の軸方向Ｘに沿った３つの帯状領域２７，２８に分けた際の中央帯状領域２７と、中央帯状領域２７の両側の一対の外側帯状領域２８との４つの領域を有している。
【００４１】
そして、植毛台２１の植毛面には、直径が１．６ｍｍの円形断面の植毛孔２３が格子状に縦横に整列配置されて２４箇所に設けられていると共に、先端部領域２６には８箇所に、中央帯状領域２７には８箇所に、外側帯状領域２８には各４箇所合計８箇所に、植毛孔２３が各々配設されることになる。
【００４２】
また、先端部領域２６の８箇所の植毛孔２３には、図２（ａ）において黒丸で略示される第１毛束２５ａが、中央帯状領域２７の８箇所の植毛孔２３には、二重丸で略示される第２毛束２５ｂが、外側帯状領域２８の各４箇所合計８箇所の植毛孔２３には、白丸で略示される第３毛束２５ｄが各々植毛されている。
【００４３】
さらに、各毛束２５ａ，２５ｂ，２５ｃを構成するブリッスル２４ａ，２４ｂ，２４ｃは、ナイロン等の合成樹脂からなる例えば６〜９ｍｉｌの太さを有するフィラメント材であって、これを例えば十数本〜数十本束ねることによって各毛束２５ａ，２５ｂ，２５ｃが形成されることになる。
【００４４】
本第２実施形態によれば、先端部領域２６に植設される第１毛束２５ａは、太さが８ｍｉｌ（０．２０３ｍｍ）の先端ブリッスル２４ａを３６本束ねて構成されており、各先端ブリッスル２４ａは植毛面から９．５〜１１．０ｍｍの毛丈（植毛台２１の先端側の第１毛束２５ａを構成する先端ブリッスル２４ａから順番に約１１．０ｍｍ、１０．３ｍｍ、９．５ｍｍの毛丈）で植毛されている。
【００４５】
すなわち、本第２実施形態によれば、８箇所の第１毛束２５ａからなる先端部領域２６における先端毛束群２９Ａの全体の上端ブラシ面は、植毛台２１の先端１列目の２つの第１毛束２５ａ（毛丈１１．０ｍｍ）が最も高くなった、歯ブラシ２０の側方から視て先端から後方に行くに従い毛束の高さが斜めに次第に低くなる形状を形成している（図２（ｂ）参照）。そして先端部領域２６に植設された８箇所の第１毛束２５ａは、何れも、植毛台２１の植毛面に対して垂直な方向に植設されている。これらによって、８箇所の第１毛束２５ａは、統一された特徴を有する毛束２５ａの集合としてひとまとまりの先端毛束群２９Ａを構成することになる。
【００４６】
また、本第２実施形態によれば、中央帯状領域２７に植設される第２毛束２５ｂは、太さが８ｍｉｌ（０．２０３ｍｍ）の中央ブリッスル２４ｂを３６本束ねて構成されており、各中央ブリッスル２４ｂは植毛面から１０．０ｍｍの毛丈で植毛されている。また中央帯状領域２７に植設された８箇所の第２毛束２５ｂは、何れも、植毛台２１の植毛面に対して垂直な方向に植設されている。これらによって、８箇所の第２毛束２５ｂは、統一された特徴を有する毛束２５ｂの集合としてひとまとまりの中央毛束群２９Ｂを構成することになる。
【００４７】
さらに、本第２実施形態によれば、各外側帯状領域２８に各々４箇所植設される第３毛束２５ｃは、太さが７ｍｉｌ（０．１７８ｍｍ）の外側ブリッスル２４ｃを４８本束ねて構成されており、各外側ブリッスル２４ｃは植毛面から９．０ｍｍの毛丈で植毛されている。また各４箇所に植設された第３毛束２５ｃは、何れも、植毛台２１の植毛面に対して垂直な方向に植設されている。これらによって、各４箇所の第２毛束２５ｃは、統一された特徴を有する毛束２５ｃの集合として各々ひとまとまりの外側毛束群２９Ｂを構成することになる。
【００４８】
そして、本第２実施形態によれば、上述のように各毛束２５ａ，２５ｂ，２５ｃが植毛台２１に植毛されていることにより、先端毛束群２９Ａを構成する先端第１ブリッスル２４ａの最長の毛丈は１１．０ｍｍ（植毛台２１の先端側から１列目の２つの第１毛束２５ａを構成する先端第１ブリッスル２４ａの毛丈）となり、中央毛束群２９Ｂを構成する中央ブリッスル２４ｂの最長の毛丈は１０．０ｍｍとなる。また先端毛束群２９Ａを構成する先端第１ブリッスル２４ａの最長の毛丈（１１．０ｍｍ）は、中央毛束群２９Ｂを構成する中央ブリッスル２４ｂの最長の毛丈（１０．０ｍｍ）の約１．１０倍の長さとなる。
【００４９】
また、本第２実施形態によれば、上述のように各毛束２５ａ，２５ｂ，２５ｃが植毛台２１に植毛されていることにより、各外側毛束群２９Ｃを構成する外側ブリッスル２４ｃの平均毛丈が９．０ｍｍ、中央毛束群２９Ｂを構成する中央ブリッスル２４ｂの平均毛丈が１０．０ｍｍとなり、外側ブリッスル２４ｃの平均毛丈が中央ブリッスル２４ｂの平均毛丈よりも短くなる。また各外側毛束群２９Ｃを構成する外側ブリッスル２４ｃの平均毛丈が、中央毛束群２９Ｂを構成する中央ブリッスル２４ｂの平均毛丈の０．９０倍の長さとなる。
【００５０】
そして、本第２実施形態の歯ブラシ２０によっても、先端部領域２６に植設される先端毛束群２９Ａを構成する先端ブリッスル２４ａの最長の毛丈（１１．０ｍｍ）が、中央帯状領域２７に植設される中央毛束群２９Ｂを構成する中央ブリッスル２４ｂの最長の毛丈（１０．０ｍｍ）よりも長くなっており、且つ外側領域２８に植設される外側毛束群２９Ｃを構成する外側ブリッスル２４ｃの平均毛丈（９．０ｍｍ）が、中央帯状領域２７に植設される中央毛束群２９Ｂを構成する中央ブリッスル２４ｂの平均毛丈（１０．０ｍｍ）よりも短くなっているので、上記第１実施形態の歯ブラシ１０と同様の作用効果を奏することになる。
【００５１】
なお、本発明は上記各実施形態に限定されることなく種々の変更が可能である。例えば、植毛台における植毛孔の形状や配置、各毛束を構成するブリッスルの太さ、本数等は上記実施形態のものに限定されるものではない。また、歯ブラシの植毛台に先端毛束群と中央毛束群と外側毛束群のみを植設する必要は必ずしもなく、例えば中央帯状領域や外側帯状領域に植設された中央毛束群や外側毛束群の後方に、さらに他の毛束又は毛束群が植設されていても良い。
【００５２】
【実施例】
以下、実施例及び比較例により、本発明の歯ブラシをさらに詳細に説明するが、本発明はこれらに限定されるものではない。
【００５３】
〔実施例１，２〕
上記第１実施形態の歯ブラシ１０と同様の構成を有する歯ブラシを実施例１の歯ブラシとし、上記第２実施形態の歯ブラシ２０と同様の構成を有する歯ブラシを実施例２の歯ブラシとして、後述の方法によって「奥歯が良く磨ける感じ」及び「歯間が良く磨ける感じ」について刷掃時における使用評価を行った。評価の結果を図３及び図４に示す。なお、先端ブリッスルの最長の毛丈の中央ブリッスルの最長の毛丈に対する比は実施例１では１．０４、実施例２では１．１０であり、外側ブリッスルの平均毛丈の中央ブリッスルの平均毛丈に対する比は実施例１では０．８７、実施例２では０．９０である。
【００５４】
〔比較例１〜３〕
市販品Ａ（商品名「Ｏｒａｌ−Ｂ　ａｄｖａｎｔａｇｅ」Ｏｒａｌ−Ｂ　Ｌａｂｏｒａｔｏｒｉｅｓ社製）を比較例１の歯ブラシとし、市販品Ｂ（商品名「アクアフレッシュツイストクロス」スミスクライン・ビーチャム製薬社製）を比較例２の歯ブラシとし、市販品Ｃ（商品名「クリアクリーンフロスプラス」花王社製）を比較例３の歯ブラシとして、先端ブリッスルの最長の毛丈の中央ブリッスルの最長の毛丈に対する比、及び外側ブリッスルの平均毛丈の中央ブリッスルの平均毛丈に対する比を算出すると共に、後述の方法によって「奥歯が良く磨ける感じ」及び「歯間が良く磨ける感じ」について刷掃時における使用評価を行った。評価の結果を図３及び図４に示す。なお、先端ブリッスルの最長の毛丈の中央ブリッスルの最長の毛丈に対する比は、比較例１では１．２２、比較例２では１．００、比較例３では０．８８であり、外側ブリッスルの平均毛丈の中央ブリッスルの平均毛丈に対する比は比較例１では１．１７、比較例２では１．０１、比較例３では０．７８であった。
【００５５】
〔刷掃時における使用評価〕
２０人のパネラーに実施例１〜２、及び比較例１〜３の各歯ブラシを各々実際に使用してもらい、聞き取り調査によって「奥歯が良く磨ける感じ」、及び「歯間が良く磨ける感じ」を評価した。評価基準は、奥歯が良く磨ける感じについては、「良く磨ける」、「やや良く磨ける」、「どちらともいえない」、「あまり良く磨けない」、「良く磨けない」の５段階評価とし、歯間が良く磨ける感じについては、「良く磨ける」、「やや良く磨ける」、「どちらともいえない」、「あまり良く磨けない」、「良く磨けない」の５段階評価として、パネラーの回答割合（％）によって評価した。評価結果を図４に示す。
【００５６】
図３及び図４に示す評価結果によれば、本発明に係る実施例１〜２の歯ブラシは、刷掃時における感触について、比較例１〜３の歯ブラシと比較して極めて高い評価が得られることが判明する。
【００５７】
【発明の効果】
本発明の歯ブラシによれば、奥歯が良く磨ける感じと歯間が良く磨ける感じの両方の感触を向上させつつ、外観形態（統一された特徴）が異なる複数の毛束群による各歯の種類や部位に応じた刷掃を効果的に行うことができる。
【図面の簡単な説明】
【図１】（ａ）は本発明の第１実施形態に係る歯ブラシの要部を示す略示平面図、（ｂ）は同側面図及び部分拡大図である。
【図２】（ａ）は本発明の第２実施形態に係る歯ブラシの要部を示す略示平面図、（ｂ）は同側面図である。
【図３】実施例１，２、及び比較例１〜３の各歯ブラシに関する、先端ブリッスルの最長の毛丈の中央ブリッスルの最長の毛丈に対する比、及び外側ブリッスルの平均毛丈の中央ブリッスルの平均毛丈に対する比を示すチャートである。
【図４】刷掃時における使用評価の評価結果を示すチャートである。
【符号の説明】
１０，２０　歯ブラシ
１１，２１　植毛台
１２，２２　首部
１３ａ　第１植毛孔
１３ｂ　第２植毛孔
１３ｃ　第３植毛孔
１３ｄ　第４植毛孔
２３　植毛孔
１４ａ，２４ａ　先端第１ブリッスル，先端ブリッスル
１４ｂ　先端第２ブリッスル
１４ｃ，２４ｂ　中央ブリッスル
１４ｄ，２４ｃ　外側ブリッスル
１５ａ，２５ａ　第１毛束
１５ｂ，２５ｂ　第２毛束
１５ｃ，２５ｃ　第３毛束
１５ｄ　第４毛束
１６，２６　先端部領域
１７，２７　中央帯状領域
１８，２８　外側帯状領域
１９Ａ，２９Ａ　先端毛束群
１９Ｂ，２９Ｂ　中央毛束群
１９Ｃ，２９Ｃ　外側毛束群
Ｘ　歯ブラシの軸方向
【図１】
2004105377.tif 000003
【図２】
2004105377.tif 000004
【図３】
2004105377.tif 000005
【図４】
2004105377.tif 000006